(57)【要約】【課題】従来と比べて容易に機能追加できるようにする。【解決手段】ＡＴＭ本体部２に取り付けられた基本ブース部３に拡張ブース部４を取り付けるだけで新たな機能を追加でき、また、基本ブース部３に拡張ブース部４を取り付ける際に、基本ブース部３の差込溝２６Ｌに拡張ブース部４の突起部４０を差し込み、拡張ブース部４の上面のオーバーラップ部３３を基本ブース部３の上面に乗せるだけで、位置決め用の冶具などを用いることなく基本ブース部３に対して拡張ブース部４を位置決めできるので、拡張ブース部４を基本ブース部３に容易に取り付けることができる。【選択図】図３
2020017161.tif 000002
【特許請求の範囲】
【請求項１】
自動取引装置本体部を部分的に覆う基本ブース部と、
前記基本ブース部の一側面に取り付けられる拡張ブース部とを備え、
前記基本ブース部は、
前記自動取引装置本体部の上面を覆う略箱型の上部と、前記上部の一側面と前記自動取引装置本体部の一側面を覆う板状の一側面板部とを有し、さらに前記一側面板部の前端に差込溝が設けられ、
前記拡張ブース部は、
前記基本ブース部の前記一側面板部を覆う略箱型であり、前記基本ブース部の前記一側面板部の前端に設けられた前記差込溝と対応する箇所に当該差込溝に差し込まれる突起部が設けられ、さらに上面の前記基本ブース部側の一端部が、前記基本ブース部の上面に重なるオーバーラップ部となっている
ことを特徴とするブース。
【請求項２】
前記基本ブース部は、
前記上部の上面に差込溝が設けられ、
前記拡張ブース部は、
前記オーバーラップ部に、前記基本ブース部の前記上部の上面に設けられた前記差込溝に差し込まれる突起部が設けられている
ことを特徴とする請求項１に記載のブース。
【請求項３】
前記拡張ブース部は、
後面の前記基本ブース部側の一端部が、前記基本ブース部の後面に重なるオーバーラップ部となっている
ことを特徴とする請求項１又は２に記載のブース。
【請求項４】
前記拡張ブース部は、
所定の機能を有する引き出し可能な引き出し部を少なくとも１個以上有している
ことを特徴とする請求項１〜３のいずれかに記載のブース。
【請求項５】
前記拡張ブース部は、
所定の機能を有する前記引き出し部を、当該引き出し部とは別の機能を有する引き出し部に交換可能となっている
ことを特徴とする請求項４に記載のブース。
【請求項６】
前記拡張ブース部は、
前記引き出し部を引き出すことで内部にアクセス可能であり、当該内部に前記基本ブース部の前記一側面板部と固定される固定箇所が設けられている
ことを特徴とする請求項４又は５に記載のブース。
【請求項７】
前記拡張ブース部は、
前記基本ブース部側の一側面が開口部となっている
ことを特徴とする請求項１〜６のいずれかに記載のブース。
【請求項８】
装置本体部と、
前記装置本体部を部分的に覆う基本ブース部と、
前記基本ブース部の一側面に取り付けられる拡張ブース部とを備え、
前記基本ブース部は、
前記装置本体部の上面を覆う略箱型の上部と、前記上部の一側面と前記装置本体部の一側面を覆う板状の一側面板部とを有し、さらに前記一側面板部の前端に差込溝が設けられ、
前記拡張ブース部は、
前記基本ブース部の前記一側面板部を覆う略箱型であり、前記基本ブース部の前記一側面板部の前端に設けられた前記差込溝と対応する箇所に当該差込溝に差し込まれる突起部が設けられ、さらに上面の前記基本ブース部側の一端部が、前記基本ブース部の上面に重なるオーバーラップ部となっている
ことを特徴とする自動取引装置。
【発明の詳細な説明】
【技術分野】
【０００１】
本発明はブース及び自動取引装置に関するものであり、例えば自動取引装置としての現金自動預け払い機（ＡＴＭ：Automatic Teller Machine）用のブース（以下、これをＡＴＭブースと呼ぶ）に適用して好適なものである。
【背景技術】
【０００２】
従来、店舗などで利用される自動取引装置としてのＡＴＭは、ＡＴＭの本体部（以下、これをＡＴＭ本体部と呼ぶ）を部分的に覆うＡＴＭブースとともに設置されるようになっていて、このＡＴＭブースによってＡＴＭ本体部のメンテナンス箇所を目隠ししたり、防犯カメラなどの機能をＡＴＭに追加したりできるようになっている（例えば特許文献１参照）。
【０００３】
尚、ＡＴＭ本体部にＡＴＭブースが取り付けられた状態で店舗などに設置されるＡＴＭをブース一体型ＡＴＭと呼び、店舗などに先に設置されたＡＴＭブースに後からＡＴＭ本体部が取り付けられるＡＴＭをブース分離型ＡＴＭと呼び、一般的に、ブース一体型ＡＴＭのＡＴＭブースの方が、ブース分離型ＡＴＭのＡＴＭブースより小型となっている。
【先行技術文献】
【特許文献】
【０００４】
【特許文献１】特開２０１７−９７４５４号公報
【発明の概要】
【発明が解決しようとする課題】
【０００５】
ところで、従来のブース一体型ＡＴＭでは、店舗などに設置された後で新たな機能を追加する場合、例えば、ブース一体型ＡＴＭを設置場所から作業場所に搬出してＡＴＭ本体部とＡＴＭブースに分解した後、元のＡＴＭブースの代わりに、新たな機能を有するＡＴＭブースをＡＴＭ本体部に取り付けることで新たなブース一体型ＡＴＭを組み立て、これを元の設置場所に設置するという作業が発生する。
【０００６】
一方、ブース分離型ＡＴＭでは、店舗などに設置された後で新たな機能を追加する場合、例えば、ブース分離型ＡＴＭをＡＴＭ本体部とＡＴＭブースに分解して設置場所から作業場所に搬出した後、元のＡＴＭブースの代わりに、新たな機能を有するＡＴＭブースを元の設置場所に設置し、このＡＴＭブースに元のＡＴＭ本体部を取り付けるという作業が発生する。
【０００７】
このように、従来のブース一体型ＡＴＭ及びブース分離型ＡＴＭでは、新たな機能を追加するには、ＡＴＭ本体部とＡＴＭブースに分解したうえで、元のＡＴＭブースを新たな機能を有するＡＴＭブースに交換しなければならず、設置後の機能追加が容易ではないという問題を有していた。
【０００８】
本発明は以上の点を考慮してなされたもので、従来と比べて容易に機能追加できるブース及び自動取引装置を提案しようとするものである。
【課題を解決するための手段】
【０００９】
かかる課題を解決するため本発明においては、自動取引装置本体部を部分的に覆う基本ブース部と、前記基本ブース部の一側面に取り付けられる拡張ブース部とを備え、前記基本ブース部は、前記自動取引装置本体部の上面を覆う略箱型の上部と、前記上部の一側面と前記自動取引装置本体部の一側面を覆う板状の一側面板部とを有し、さらに前記一側面板部の前端に差込溝が設けられ、前記拡張ブース部は、前記基本ブース部の前記一側面板部を覆う略箱型であり、前記基本ブース部の前記一側面板部の前端に設けられた前記差込溝と対応する箇所に当該差込溝に差し込まれる突起部が設けられ、さらに上面の前記基本ブース部側の一端部が、前記基本ブース部の上面に重なるオーバーラップ部となっているとした。
【００１０】
これにより、ＡＴＭ本体部と基本ブース部に分解することなく、新たな機能を有する拡張ブース部を基本ブース部に取り付けるだけで新たな機能を追加できる。また、基本ブース部に拡張ブース部を取り付ける際に、基本ブース部の差込溝に拡張ブース部の突起部を差し込み、拡張ブース部のオーバーラップ部を基本ブース部の上面に乗せるだけで、基本ブース部に対して拡張ブース部を位置決めできるので、基本ブース部に拡張ブース部を容易に取り付けることができる。
【発明の効果】
【００１１】
本発明によれば、従来と比べて容易に機能追加できるブース及び自動取引装置を実現できる。
【図面の簡単な説明】
【００１２】
【図１】第１の実施の形態によるＡＴＭ本体部に基本ブース部が取り付けられた状態の現金自動預け払い機の外観構成を示す斜視図である。
【図２】現金自動預け払い機を図１に示す切断線Ａ−Ａで切断した場合の断面図である。
【図３】第１の実施の形態によるＡＴＭ本体部に基本ブース部が取り付けられ、且つ基本ブース部に拡張ブース部が取り付けられる前の状態の現金自動預け払い機の外観構成を示す斜視図である。
【図４】第１の実施の形態によるＡＴＭ本体部に基本ブース部と拡張ブース部が取り付けられた状態の現金自動預け払い機の外観構成を示す斜視図である。
【図５】現金自動預け払い機を図４に示す切断線Ｂ−Ｂで切断した場合の断面図である。
【図６】第１の実施の形態による基本ブース部に拡張ブース部を取り付ける際の動作を示す断面図である。
【図７】第２の実施の形態によるＡＴＭ本体部に基本ブース部が取り付けられ、且つ基本ブース部に拡張ブース部が取り付けられる前の状態の現金自動預け払い機の外観構成を示す斜視図である。
【図８】第２の実施の形態によるＡＴＭ本体部に基本ブース部と拡張ブース部が取り付けられた状態の現金自動預け払い機の外観構成を示す斜視図である。
【図９】第２の実施の形態による基本ブース部の上面の構成を示す部分拡大図である。
【図１０】現金自動預け払い機を図８に示す切断線Ｃ−Ｃで切断した場合の断面図である。
【図１１】第２の実施の形態による基本ブース部に拡張ブース部を取り付ける際の動作を示す上面図である。
【図１２】現金自動預け払い機を図８に示す切断線Ｄ−Ｄで切断した場合の断面図である。
【発明を実施するための形態】
【００１３】
以下、発明を実施するための形態（以下実施の形態とする）について、図面を用いて説明する。
【００１４】
［１．第１の実施の形態］
［１−１．現金自動預け払い機の構成］
図１（Ａ）、（Ｂ）に、第１の実施の形態による現金自動預け払い機（ＡＴＭ）１の外観構成を示す。現金自動預け払い機１は、店舗などに設置され、利用者との間で入金取引や出金取引などの現金に関する取引を行う装置である。この現金自動預け払い機１は、ＡＴＭ本体部２とＡＴＭ本体部２を部分的に覆う基本ブース部３とを有していて、ＡＴＭ本体部２に基本ブース部３が取り付けられた状態で店舗などに設置されるブース一体型ＡＴＭである。尚、ここでは、利用者と対峙する側を現金自動預け払い機１の前側、その反対側を現金自動預け払い機１の後側、現金自動預け払い機１の前側に対峙する利用者から見て上側、下側、左側、右側を、それぞれ現金自動預け払い機１の上側、下側、左側、右側と定義する。
【００１５】
ＡＴＭ本体部２は、直方体状の略箱型であり、前面下部に対して前面上部が後方に引っ込んでいて、この前面上部に応対部１０が設けられている。応対部１０は、操作表示部１１、カード明細口１２、紙幣口１３、番号入力部１４を有している。
【００１６】
操作表示部１１は、例えば、操作画面を表示する液晶ディスプレイと、操作画面に対するタッチ操作を検知するタッチセンサとが一体化されたタッチパネルとなっている。カード明細口１２は、キャッシュカードが挿入または排出される部分であり、且つ取引明細書が排出される部分である。紙幣口１３は、取引（つまり入金取引及び出金取引）時に紙幣が挿入または排出される部分である。番号入力部１４は、暗証番号などを入力する際に用いられる数字キーである。
【００１７】
またＡＴＭ本体部２は、下面に図示しないキャスターが取り付けられていて、前後左右に移動可能となっている。さらにＡＴＭ本体部２は、下面と設置される床面との間の隙間を覆うように、前面下端、左側面下端、右側面下端、後面下端に、それぞれフットガード１５が取り付けられている。尚、このフットガード１５は、例えば、現金自動預け払い機１を設置した後で取り付けられるようになっている。
【００１８】
一方、基本ブース部３は、ＡＴＭ本体部２の上面を覆う箱型の上部２０と、上部２０の左側面及びＡＴＭ本体部２の左側面を覆う板状の左側面板部２１Ｌと、上部２０の右側面及びＡＴＭ本体部２の右側面を覆う板状の右側面板部２１Ｒと、上部２０の上面を覆う板状の上面板部２２と、上部２０の後面及びＡＴＭ本体部２の後面を覆う板状の後面板部２３と、応対部１０の左右両脇に配置される板状の仕切板２４Ｌ、２４Ｒとで構成されている。
【００１９】
上部２０は、前後方向及び左右方向の長さがＡＴＭ本体部２の上端部とほぼ等しく、上下方向の長さがＡＴＭ本体部２の１／３程度であり、ＡＴＭ本体部２の上端部をそのまま上方に延長したような箱型となっている。この上部２０の前面には、広告などを表示する表示部２５が設けられている。この表示部２５は、左端部が上部２０により回転可能に支持されていることにより、図中矢印Ａｒ１で示す方向及びこの逆方向に開閉可能となっている。上部２０は、表示部２５を開くことで、内部にアクセスできるようになっている。
【００２０】
右側面板部２１Ｒは、上部２０の右側面を覆う上側部分２１Ｒａと、ＡＴＭ本体部２の右側面を覆う下側部分２１Ｒｂとで構成されている。上側部分２１Ｒａは、上部２０の右側面の全面を覆う形状及び大きさとなっている。一方、下側部分２１Ｒｂは、ＡＴＭ本体部２の右側面全体のうち、前端部以外の部分を覆う形状及び大きさとなっている。つまり、右側面板部２１Ｒの下側部分２１Ｒｂは、ＡＴＭ本体部２の右側面の前端部は露出させるようにして右側面を覆うようにななっている。またこの下側部分２１Ｒｂの上部（すなわち応対部１０の右側）に、覗き見防止用の仕切板２４Ｒが着脱可能に取り付けられている。
【００２１】
さらに、図１（Ａ）に加えて、現金自動預け払い機１を図１（Ａ）の切断線Ａ−Ａで切断した場合の断面図（横断図）である図２にも示すように、右側面板部２１Ｒは、下側部分２１Ｒｂの前端に、この前端に沿って上下方向に延びる差込溝２６Ｒが形成されている。尚、図２は、各部（左側面板部２１Ｌ、右側面板部２１Ｒ、後面板部２３）の厚さを省略した簡易的な断面図となっている。この図２に示すように右側面板部２１Ｒの前端は、上方から見て断面コの字型となっている。さらに図１（Ａ）、（Ｂ）に示すように、右側面板部２１Ｒの側面には、ネジ孔２７Ｒが上下方向に間隔を開けて２箇所設けられ、右側面板部２１Ｒの後端面には、ネジ孔２８Ｒが上下方向に間隔を空けて４箇所設けられている。これら差込溝２６Ｒ及びネジ孔２７Ｒ、２８Ｒの機能については後述する。
【００２２】
左側面板部２１Ｌは、右側面板部２１Ｒと左右対称であり、上部２０の左側面を覆う上側部分２１Ｌａと、ＡＴＭ本体部２の左側面を覆う下側部分２１Ｌｂとで構成されていて、下側部分２１Ｌｂの上部（すなわち応対部１０の左側）には、覗き見防止用の仕切板２４Ｌが着脱可能に取り付けられている。さらに、図１（Ｂ）に加えて図２に示すように、左側面板部２１Ｌは、下側部分２１Ｌｂの前端に、この前端に沿って上下方向に延びる差込溝２６Ｌが形成されている。この図２に示すように、左側面板部２１Ｌの前端も、上方から見て断面コの字型となっている。さらに図１（Ａ）、（Ｂ）に示すように、左側面板部２１Ｌには、側面の２箇所にネジ孔２７Ｌが設けられ、後端面の４箇所にネジ孔２８Ｌが設けられている。
【００２３】
上面板部２２は、上部２０の上面を覆う形状及び大きさとなっている。後面板部２３は、上部２０の後面及びＡＴＭ本体部２の後面を覆う形状及び大きさとなっている。尚、上部２０、左側面板部２１Ｌ、右側面板部２１Ｒ、上面板部２２及び後面板部２３は、別体に形成されていてもよいし、部分的に一体となるように形成されていてもよい。例えば、左側面板部２１Ｌと上面板部２２の左半分が一体に形成され、右側面板部２１Ｒと上面板部２２の左半分が一体に形成されているなどしてもよい。
【００２４】
この基本ブース部３は、例えば、上部２０の底面をＡＴＭ本体部２の上面に図示しない固定具で固定するとともに、左側面板部２１Ｌ及び右側面板部２１ＲをＡＴＭ本体部２の左側面及び右側面に図示しない固定具で固定することで、ＡＴＭ本体部２に取り付けられるようになっている。
【００２５】
さらに、この現金自動預け払い機１は、図３及び図４に示すように、店舗などに設置された後でも、基本ブース部３の左側面に拡張ブース部４を取り付けることで機能を追加できるようになっている。拡張ブース部４は、基本ブース部３の左側面板部２１Ｌを厚くしたような略箱型であり、左側面板部２１Ｌを覆うようにして基本ブース部３の左側面に取り付けられるようになっている。
【００２６】
この拡張ブース部４は、左側面板部２１Ｌ側の右側面のほぼ全体が開口部３０となっている。この開口部３０には、拡張ブース部４の前面と後面とを繋ぐ前後方向に延びる補強板３１が上下方向に間隔を空けて４本設けられていて、１番上と１番下の補強板３１には、ネジ用の貫通孔３２が設けられている。尚、基本ブース部３の左側面板部２１Ｌの側面に設けられた２個のネジ孔２７Ｌの位置は、これら２個の貫通孔３２と対向する位置となっている。
【００２７】
さらに拡張ブース部４は、前面の幅（左右方向の長さ）より上面の幅及び後面の幅が大きく、上面の右端と後面の右端が前面の右端より右方（つまり基本ブース部３側）に迫り出していて、基本ブース部３に取り付けられた際に、上面の右端部３３が基本ブース部３の上面の上に重なる（オーバーラップする）とともに、後面の右端部３４が基本ブース部３の後面の後ろに重なる（オーバーラップする）ようになっている。尚、ここでは、拡張ブース部４の上面の右端部３３をオーバーラップ部３３と呼び、後面の右端部３４をオーバーラップ部３４と呼ぶことにする。後面側のオーバーラップ部３４には、ネジ用の貫通孔３５が上下方向に間隔を空けて４箇所設けられている。尚、基本ブース部３の左側面板部２１Ｌの後端面に設けられた４個のネジ孔２８Ｌの位置は、これら４個の貫通孔３５と対向する位置となっている。
【００２８】
さらに拡張ブース部４には、上部、中央部、下部の３箇所にそれぞれ前面から前方に引き出し可能な略箱型の引き出し部３６ｔ、３６ｃ、３６ｂが設けられている。これら３個の引き出し部３６ｔ、３６ｃ、３６ｂは、それぞれ別々の機能を有している。
【００２９】
１番上の引き出し部３６ｔは、監視カメラ機能を有していて、前面にカメラ３７が取り付けられているとともに、内部にカメラ３７の映像を記録する映像記録部３８が収納されている。真ん中の引き出し部３６ｃは、封筒入れの機能を有していて、内部に収納された封筒を、前面に設けられた封筒取り出し口３９から取り出すことができるようになっている。１番下の引き出し部３６ｂは、収納機能を有していて、例えば、予備のレシートなどを収納可能な収納庫となっている。またこれら引き出し部３６ｔ、３６ｃ、３６ｂは、現金自動預け払い機１の利用者には引き出すことができないようにロックできるようになっている。さらにこれら引き出し部３６ｔ、３６ｃ、３６ｂは、上面が開口していて且つ側面や後面の一部分又は全部分が切り取られたような略箱型であり、前方に引き出されると、引き出し部３６ｔ、３６ｃ、３６ｂの内側から、拡張ブース部４の内部（具体的には補強板３１の貫通孔３２）にアクセスできるようにもなっている。さらにこれら引き出し部３６ｔ、３６ｃ、３６ｂを前方に引き出して拡張ブース部４から取り外すことができるようにしてもよい。
【００３０】
さらに拡張ブース部４は、１番上の引き出し部３６ｔに収納されている映像記録部３８から延びる図示しないケーブル（電源ケーブル及び信号ケーブルなど）を、上面右端に設けられた図示しない開口部から引き出すことができるようになっている。一方、基本ブース部３は、上面に設けられた図示しない開口部から内部にアクセスできるようになっている。これにより、拡張ブース部４側から引き出されたケーブルを、基本ブース部３の内部に設けられた端子などに接続できるようになっている。尚、拡張ブース部４の上面に設けられた開口部、この開口部から引き出されたケーブル、及び基本ブース部３の上面に設けられた開口部は、図示しないカバーで覆うことにより遮蔽できるようになっている。
【００３１】
さらに拡張ブース部４の前面右端には、左側面板部２１Ｌの下側部分２１Ｌｂと対向する箇所に、後方に突出する突起部４０が設けられている。この突起部４０は、左側面板部２１Ｌの下側部分２１Ｌｂに設けられた差込溝２６Ｌに前方から差し込まれる部分である。また、拡張ブース部４が取り付けられた状態の現金自動預け払い機１を図４の切断線Ｂ−Ｂで切断した場合の簡易的な断面図（横断図）である図５に示すように、拡張ブース部４の前端は、上方から見て、左側面板部２１Ｌの前端より大きな断面コの字型となっている。さらに拡張ブース部４は、左側面に仕切板２４Ｌを着脱可能となっている。ＡＴＭ本体部２、ＡＴＭブースとしての基本ブース部３及び拡張ブース部４の構成は、以上のようになっている。
【００３２】
［１−２．拡張ブースの取り付け］
次に、ＡＴＭ本体部２とともに設置済みの基本ブース部３に対して、拡張ブース部４を取り付ける際の取り付け方について説明する。基本ブース部３に拡張ブース部４を取り付ける場合、まず基本ブース部３の左側面から仕切板２４Ｌを取り外す。次に、図６（Ａ）に簡易的な断面図を示すように、基本ブース部３の左側面板部２１Ｌに対して拡張ブース部４を前端側から近づけていき、拡張ブース部４の前端側に位置する突起部４０を左側面板部２１Ｌの前端側に位置する差込溝２６Ｌに前方から差し込んでいく。このとき、左側面板部２１Ｌの差込溝２６Ｌには、拡張ブース部４の突起部４０が差込溝２６Ｌの幅方向（左右方向の長さ）に傾いた状態で差し込まれる。ゆえに、左側面板部２１Ｌの差込溝２６Ｌの幅は、突起部４０が傾いた状態で差し込まれることを考慮して、突起部４０の幅より広く形成されている。
【００３３】
このようにして、拡張ブース部４の突起部４０を左側面板部２１Ｌの差込溝２６Ｌに差し込んでいくと、拡張ブース部４の前端側のコの字形状部分が、左側面板部２１Ｌの前端側のコの字形状部分を覆うようにして、拡張ブース部４の前端部が左側面板部２１Ｌの前端部に引っ掛けられた状態となる。この状態のまま、拡張ブース部４の後端側を左側面板部２１Ｌに近づけるように（つまり拡張ブース部４と左側面板部２１Ｌとが平行になるように）拡張ブース部４を矢印Ａｒ２で示す方向に回転させていく。そして、拡張ブース部４の上面側のオーバーラップ部３３（図６（Ａ）、（Ｂ）では省略）を基本ブース部３の上面に乗せながら、拡張ブース部４の補強板３１が左側面板部２１Ｌと当接するまで、拡張ブース部４を回転させる。
【００３４】
これにより、拡張ブース部４は、図６（Ｂ）に示すように、前端側の突起部４０が基本ブース部３の差込溝２６Ｌに差し込まれるとともに、上面側のオーバーラップ部３３（図６では省略）と後面側のオーバーラップ部３４が、基本ブース部３の上面と後面にオーバーラップした状態となり、これにより、基本ブース部３に位置決めされる。
【００３５】
次に、拡張ブース部４から引き出し部３６ｔ、３６ｃ、３６ｂ（図３、図４参照）を引き出して（もしくは取り外して）、拡張ブース部４の内部にアクセスし、補強板３１（図３参照）に設けられた貫通孔３２を介して、左側面板部２１Ｌの側面に設けられたネジ孔２７Ｌにネジ４１（図５参照）を回し入れることで、左側面板部２１Ｌとの固定箇所である補強板３１を左側面板部２１Ｌの側面に固定する。
【００３６】
さらに、拡張ブース部４の後面側のオーバーラップ部３４に設けられた貫通孔３５（図３参照）を介して、左側面板部２１Ｌの後面に設けられたネジ孔２８Ｌにネジ４２（図５参照）を回し入れることで、拡張ブース部４の後面側のオーバーラップ部３４を左側面板部２１Ｌの後面に固定する。このようにして、拡張ブース部４を基本ブース部３に固定する。そして最後に、引き出し部３６ｔ、３６ｃ、３６ｂを、拡張ブース部４に押し込み（もしくは取り付け）、拡張ブース部４の左側面に仕切板２４Ｌを取り付けて、拡張ブース部４の取り付けが完了する。
【００３７】
尚、拡張ブース部４と基本ブース部３との間でケーブル接続が必要な場合には、例えば、拡張ブース部４を基本ブース部３に取り付けて、引き出し部３６ｔ、３６ｃ、３６ｂを拡張ブース部４に押し込んだ後、拡張ブース部４の上面の開口部から基本ブース部３の上面に設けられた開口部へとケーブルを引き出して接続する。拡張ブース部４の取り付けは、以上のようになっている。
【００３８】
［１−３．まとめと効果］
ここまで説明したように、第１の実施の形態の現金自動預け払い機１は、ＡＴＭ本体部２に取り付けられた基本ブース部３に拡張ブース部４を取り付けるだけで新たな機能を追加することができる。また、現金自動預け払い機１は、基本ブース部３に拡張ブース部４を取り付ける際に、基本ブース部３の差込溝２６Ｌに拡張ブース部４の突起部４０を差し込み、拡張ブース部４の上面のオーバーラップ部３３を基本ブース部３の上面に乗せるとともに、拡張ブース部４の後面のオーバーラップ部３４を基本ブース部３の後面に被せるだけで、位置決め用の冶具などを用いることなく基本ブース部３に対して拡張ブース部４を位置決めできるので、拡張ブース部４を基本ブース部３に容易に取り付けることができる。
【００３９】
このように、現金自動預け払い機１は、ＡＴＭ本体部２に基本ブース部３を取り付けた状態のまま基本ブース部３に拡張ブース部４を取り付けるだけで新たな機能を追加でき、そのうえ拡張ブース部４を基本ブース部３に容易に取り付けることができるので、従来と比べて容易に機能追加できる。
【００４０】
また、現金自動預け払い機１は、基本ブース部３の左方に拡張ブース部４よりわずかに大きなスペースがあれば、拡張ブース部４の取り付け作業を行うことができるので、コンビニエンスストアなどの現金自動預け払い機１の設置スペースが限られている場所でも、比較的容易に拡張ブース部４の取り付け作業を行うことができる。
【００４１】
さらに、現金自動預け払い機１は、基本ブース部３と拡張ブース部４とを固定する固定箇所に位置する貫通孔３２、３５が、拡張ブース部４の内部と、拡張ブース部４の後面とに設けられているため、前方に対峙する利用者から基本ブース部３と拡張ブース部４との固定箇所を秘匿することができ、これにより、デザイン性及びセキュリティ性を損なうことなく、基本ブース部３と拡張ブース部４とを固定することができる。
【００４２】
さらに、現金自動預け払い機１は、拡張ブース部４の基本ブース部３側の右側面を開口部３０として、基本ブース部３の左側面に拡張ブース部４を取り付けた際に、拡張ブース部４の開口部３０が基本ブース部３の左側面板部２１Ｌによって覆われるようにした。このように、現金自動預け払い機１は、拡張ブース部４の右側面を開口部３０としたことにより、拡張ブース部４の重量を削減できるとともに製造コストを削減できる。
【００４３】
［２．第２の実施の形態］
次に、第２の実施の形態について説明する。この第２の実施の形態は、基本ブース部と拡張ブース部の構成が、第１の実施の形態とは異なる実施の形態である。ゆえに、ここでは、主に基本ブース部と拡張ブース部の構成について説明する。
【００４４】
［２−１．現金自動預け払い機の構成］
図７、図８に、第２の実施の形態による、現金自動預け払い機１００の外観構成を示す。現金自動預け払い機１００は、ＡＴＭ本体部１０１と基本ブース部１０２と拡張ブース部１０３とを有している。ＡＴＭ本体部１０１は、第１の実施の形態のＡＴＭ本体部２と同一構成のため、説明は省略する。
【００４５】
基本ブース部１０２は、後面のネジ孔２８Ｌ、２８Ｒ（図１（Ｂ）参照）が省略されている点と、図７に加えて図９に拡大図を示すように、上面左端に基本ブース部１０２の前面から後面にかけて前後方向に延びる差込溝１１０が追加されている点の２点が、第１の実施の形態の基本ブース部３と異なっていて、これら２点以外の部分については、基本ブース部３と同一構成となっている。
【００４６】
拡張ブース部１０３は、後面側のオーバーラップ部３４（図３参照）が省略されている点と、上面側のオーバーラップ部３３の右端に下方に突出する突起部１１１が設けられている点の２点が、第１の実施の形態の拡張ブース部４と異なっていて、これら２点以外の部分については、拡張ブース部４と同一構成となっている。
【００４７】
拡張ブース部１０３のオーバーラップ部３３に設けられた突起部１１１は、基本ブース部１０２の上面に設けられた差込溝１１０に前方から差し込まれる部分である。また、拡張ブース部１０３が取り付けられた状態の現金自動預け払い機１００を図８の切断線Ｃ−Ｃで切断した場合の簡易的な断面図（縦断図）を図１０に示すように、拡張ブース部１０３の上端は、前方からみて断面コの字型となっている。ＡＴＭ本体部１０１、基本ブース部１０２及び拡張ブース部１０３の構成は、以上のようになっている。
【００４８】
［２−２．拡張ブースの取り付け］
次に、ＡＴＭ本体部１０１とともに設置済みの基本ブース部１０２に対して、拡張ブース部１０３を取り付ける際の取り付け方について説明する。基本ブース部１０２に拡張ブース部１０３を取り付ける場合、まず基本ブース部１０２の左側面から仕切板２４Ｌを取り外す。次に、図１１（Ａ）に簡易的な上面図を示すように、基本ブース部１０２の上面に設けられた差込溝１１０の前方に、拡張ブース部１０３のオーバーラップ部３３に設けられた突起部１１１が位置するように拡張ブース部１０３を基本ブース部１０２の左斜め前に配置する。さらにこの位置から拡張ブース部１０３を矢印Ａｒ３で示す後方へ移動させていくことにより、拡張ブース部１０３のオーバーラップ部３３を基本ブース部１０２の上面に乗せながら、オーバーラップ部３３の突起部１１１を基本ブース部１０２の上面側の差込溝１１０に前方から差し込んでいく。
【００４９】
さらに拡張ブース部１０３を後方へ移動させていくと、現金自動預け払い機１００を図８の切断線Ｄ−Ｄで切断した場合の簡易的な断面図（横断図）である図１２に示すように、拡張ブース部１０３の前端側に位置する突起部４０が左側面板部２１Ｌの前端側に位置する差込溝２６Ｌに前方から差し込まれて、拡張ブース部１０３の前端側のコの字形状部分が、左側面板部２１Ｌの前端側のコの字形状部分に当接する。
【００５０】
これにより、拡張ブース部１０３は、図１１（Ｂ）に簡易的な上面図を示すように、オーバーラップ部３３が基本ブース部１０２の上面にオーバーラップするとともに、上面側の突起部１１１と前端側の突起部４０（図１２参照）が基本ブース部１０２の上面側の差込溝１１０と前端側の差込溝２６Ｌ（図１２参照）に差し込まれた状態となり、これにより、基本ブース部１０２に位置決めされる。
【００５１】
次に、拡張ブース部１０３の引き出し部３６ｔ、３６ｃ、３６ｂ（図７、図８参照）を引き出して（もしくは取り外して）、拡張ブース部１０３の内部にアクセスし、図１１（Ｃ）に簡易的な上面図を示すように、補強板３１に設けられた貫通孔３２（図７参照）を介して、左側面板部２１Ｌの側面に設けられたネジ孔２７Ｌ（図７参照）にネジ４１を回し入れることで、補強板３１を、左側面板部２１Ｌの側面に固定する。このようにして、拡張ブース部１０３を基本ブース部１０２に固定する。そして最後に、引き出し部３６ｔ、３６ｃ、３６ｂを、拡張ブース部１０３に押し込み（もしくは取り付け）、拡張ブース部１０３の左側面に仕切板２４Ｌを取り付けて、拡張ブース部１０３の取り付けが完了する。
【００５２】
尚、第１の実施の形態と同様、拡張ブース部１０３と基本ブース部１０２との間でケーブル接続が必要な場合には、例えば、拡張ブース部１０３に基本ブース部１０２を取り付けて、引き出し部３６ｔ、３６ｃ、３６ｂを拡張ブース部１０３に押し込んだ後、拡張ブース部１０３の上面の開口部から基本ブース部１０２の上面に設けられた開口部へとケーブルを引き出して接続する。拡張ブース部１０３の取り付けは、以上のようになっている。
【００５３】
［２−３．まとめと効果］
ここまで説明したように、第２の実施の形態の現金自動預け払い機１００も、第１の実施の形態の現金自動預け払い機１と同様、ＡＴＭ本体部１０１に取り付けられた基本ブース部１０２に拡張ブース部１０３を取り付けるだけで新たな機能を追加することができる。また、現金自動預け払い機１００は、基本ブース部１０２に拡張ブース部１０３を取り付ける際に、拡張ブース部１０３のオーバーラップ部３３を基本ブース部１０２の上面に乗せながらオーバーラップ部３３の突起部１１１を基本ブース部１０２の上面側の差込溝１１０に差し込むとともに、拡張ブース部１０３の前端側の突起部４０を基本ブース部１０２の前端側の差込溝２６Ｌに差し込むだけで、位置決め用の冶具などを用いることなく基本ブース部１０２に対して拡張ブース部１０３を位置決めできるので、拡張ブース部１０３を基本ブース部１０２に容易に取り付けることができる。
【００５４】
このように、現金自動預け払い機１００も、ＡＴＭ本体部１０１に基本ブース部１０２を取り付けた状態のまま基本ブース部１０２に拡張ブース部１０３を取り付けるだけで新たな機能を追加でき、そのうえ拡張ブース部１０３を基本ブース部１０２に容易に取り付けることができるので、従来と比べて容易に機能追加できる。
【００５５】
また、現金自動預け払い機１００は、基本ブース部１０２の左方に拡張ブース部１０３と同程度のスペースがあれば、拡張ブース部１０３の取り付け作業を行うことができるので、コンビニエンスストアなどの現金自動預け払い機１００の設置スペースが限られている場所でも、比較的容易に拡張ブース部１０３の取り付け作業を行うことができる。
【００５６】
さらに、現金自動預け払い機１００では、基本ブース部１０２の上面に差込溝１１０を設け、この差込溝１１０に拡張ブース部１０３のオーバーラップ部３３に設けられた突起部１１１を差し込むようにする一方で、基本ブース部１０２と拡張ブース部１０３とのネジ留め箇所を、基本ブース部１０２と拡張ブース部１０３の側面のみとした。こうすることで、現金自動預け払い機１００は、基本ブース部１０２と拡張ブース部１０３との固定強度を維持しながら、現金自動預け払い機１よりネジ留め箇所を少なくすることができ、その分、現金自動預け払い機１より容易に拡張ブース部１０３を取り付けることができる。
【００５７】
［３．他の実施の形態］
［３−１．他の実施の形態１］
尚、上述した第１の実施の形態では、基本ブース部３の左側面に拡張ブース部４を取り付けるようにした。これに限らず、拡張ブース部４と左右対称の拡張ブース部（図示せず）を用意して、この拡張ブース部を、拡張ブース部４と同様にして基本ブース部３の右側面に取り付けるようにしてもよい。第２の実施の形態についても、基本ブース部１０２の上面右端に差込溝を追加して、基本ブース部１０２の右側面に、拡張ブース部１０３と左右対称の拡張ブース部を取り付けるようにしてもよい。
【００５８】
［３−２．他の実施の形態２］
また、上述した第１の実施の形態では、拡張ブース部４に、それぞれ別々の機能を有する３個の引き出し部３６ｔ、３６ｃ、３６ｂを設けるようにしたが、これら３個の引き出し部３６ｔ、３６ｃ、３６ｂのうちの少なくとも１つを、これら３個の引き出し部３６ｔ、３６ｃ、３６ｂとは異なる機能を有する引き出し部と交換することで、拡張ブース部４が備える機能を変更するようにしてもよい。例えば、監視カメラ機能を有する引き出し部３６ｔを、電話機能を有する引き出し部と交換することで、拡張ブース部４が備える監視カメラ機能を電話機能に変更するなどしてもよい。
【００５９】
こうすることで、現金自動預け払い機１は、基本ブース部３に拡張ブース部４を取り付けた後でも、適宜、機能を変更することができる。第２の実施の形態についても同様に、拡張ブース部１０３に設けられた３個の引き出し部３６ｔ、３６ｃ、３６ｂを、これらとは異なる機能を有する引き出し部と交換することで、拡張ブース部１０３が備える機能を変更するようにしてもよい。
【００６０】
また、上述した第１の実施の形態では、拡張ブース部４に３個の引き出し部３６ｔ、３６ｃ、３６ｂを設けるようにしたが、これに限らず、拡張ブース部４に２個以下、もしくは４個以上の引き出し部を設けるようにしてもよい。第２の実施の形態についても同様に、拡張ブース部１０３に２個以下、もしくは４個以上の引き出し部を設けるようにしてもよい。さらに、３個の引き出し部３６ｔ、３６ｃ、３６ｂに、それぞれ１つの機能を持たせるのではなく、複数の機能を持たせるようにしてもよい。
【００６１】
さらに、上述した第１の実施の形態では、拡張ブース部４から引き出し可能な引き出し部３６ｔ、３６ｃ、３６ｂに各種機能を持たせるようにしたが、これに限らず、拡張ブース部４に、各種機能を持つ機能部を固定するようにしてもよい。例えば、拡張ブース部４の上部に、監視カメラ機能を持つ引き出し部３６ｔの代わりに、監視カメラ部を固定するなどしてもよい。この場合、例えば、拡張ブース部４の前面上部を取り外し可能なパネルとして、このパネルにカメラ３７を固定するとともに、拡張ブース部４内部の上部に映像記録部３８を固定するようにし、さらにこのパネルを取り外すことで、拡張ブース部４の内部にアクセスできるようにする。第２の実施の形態についても同様に、各種機能を持つ機能部を固定するようにしてもよい。
【００６２】
［３−３．他の実施の形態３］
さらに、上述した第１の実施の形態では、ＡＴＭ本体部２に基本ブース部３が取り付けられた状態で店舗などに設置されるブース一体型ＡＴＭである現金自動預け払い機１に本発明を適用したが、これに限らず、店舗などに先に設置されたＡＴＭブースに後からＡＴＭ本体部が取り付けられるブース分離型ＡＴＭである現金自動預け払い機に適用してもよい。この場合、ブース分離型ＡＴＭのＡＴＭブースを、基本ブース部３及び拡張ブース部４と同様の構成とすればよい。第２の実施の形態についても同様に、ブース分離型ＡＴＭである現金自動預け払い機に適用してもよい。
【００６３】
［３−４．他の実施の形態４］
さらに、上述した第１の実施の形態では、基本ブース部３と拡張ブース部４とをネジ４１、４２により固定するようにしたが、これに限らず、ネジ４１、４２とは異なる固定具により基本ブース部３と拡張ブース部４とを固定するようにしてもよい。第２の実施の形態についても同様に、基本ブース部１０２と拡張ブース部１０３とをネジ４１とは異なる固定具により固定するようにしてもよい。
【００６４】
［３−５．他の実施の形態５］
さらに、上述した第１の実施の形態では、基本ブース部３の左側面板部２１Ｌの前端全体のうち、下側部分２１Ｌｂの前端にのみ差込溝２６Ｌを設けたが、これに限らず、左側面板部２１Ｌの前端全体に差込溝２６Ｌを設けたり、左側面板部２１Ｌの上側部分２１Ｌａの前端にのみ差込溝２６Ｌを設けたりしてもよい。一方、拡張ブース部４の突起部４０については、差込溝２６Ｌの上下方向の位置及び大きさに合わせるようにすればよい。
【００６５】
このように、差込溝２６Ｌ及び突起部４０の上下方向の位置及び長さを、第１の実施の形態とは異なる位置及び長さにしてもよい。第２の実施の形態についても同様に、差込溝２６Ｌ及び突起部４０の上下方向の位置及び長さを、第２の実施の形態とは異なる位置及び長さにしてもよい。
【００６６】
［３−６．他の実施の形態６］
さらに、上述した第１の実施の形態では、本発明を、自動取引装置の具体例である、現金自動預け払い機１、１００に適用したが、これに限らず、自動取引装置本体部及び装置本体部としてのＡＴＭ本体部とブースとで構成される自動取引装置であれば、現金自動預け払い機１、１００とは異なる自動取引装置に適用してもよい。例えば、本発明を、現金の引き出しと残高照会のみを行う現金自動支払い機に適用するなどしてもよい。また、第１の実施の形態として上述したＡＴＭ本体部２、基本ブース部３及び拡張ブース部４の大きさ及び形状については、一例であり、これらＡＴＭ本体部２、基本ブース部３及び拡張ブース部４の大きさ及び形状を、第１の実施の形態と同様の効果が得られる範囲で変更するようにしてもよい。第２の実施の形態についても同様に、ＡＴＭ本体部１０１、基本ブース部１０２及び拡張ブース部１０３の大きさ及び形状を、第２の実施の形態と同様の効果が得られる範囲で変更するようにしてもよい。
【００６７】
［３−７．他の実施の形態７］
さらに、上述した各実施の形態では、基本ブース部の上部の一側面及び自動取引装置本体部の一側面を覆う板状の一側面板部の具体例として、左側面板部２１Ｌを用いたが、これに限らず、基本ブース部の上部の一側面及び自動取引装置本体部の一側面を覆う板状の部材であれば、左側面板部２１Ｌとは形状などが異なる部材を用いてもよい。
【００６８】
［３−８．他の実施の形態８］
さらに、本発明は、上述した各実施の形態に限定されるものではない。すなわち本発明は、上述した第１及び第２の実施の形態と他の実施の形態の一部又は全部を任意に組み合わせた実施の形態や、一部を抽出した実施の形態にもその適用範囲が及ぶものである。例えば、第２の実施の形態でも、第１の実施の形態と同様、拡張ブース部１０３の後面側にオーバーラップ部３４を設けて、このオーバーラップ部３４を基本ブース部１０２の後面にネジ留めするようにしてもよい。また一方で、第１の実施の形態でも、第２の実施の形態と同様、拡張ブース部４の後面側のオーバーラップ部３４を省略するようにしてもよい。
【産業上の利用可能性】
【００６９】
本発明は、ＡＴＭ本体部とともに設置される様々なＡＴＭブースで利用できる。
【符号の説明】
【００７０】
１、１００……現金自動預け払い機、２、１０１……ＡＴＭ本体部、３、１０２……基本ブース部、４、１０３……拡張ブース部、２０……上部、２１Ｌ……左側面板部、２１Ｒ……右側面板部、２２……上面板部、２３……後面板部、２６Ｒ、２６Ｌ、１１０……差込溝、２７Ｌ、２７Ｒ、２８Ｌ、２８Ｒ……ネジ孔、３０……開口部、３１……補強板、３２、３５……貫通孔、３３、３４……オーバーラップ部、３６ｔ、３６ｃ、３６ｂ……引き出し部、４０、１１１……突起部、４１、４２……ネジ。
【図１】
2020017161.tif 000003
【図２】
2020017161.tif 000004
【図３】
2020017161.tif 000005
【図４】
2020017161.tif 000006
【図５】
2020017161.tif 000007
【図６】
2020017161.tif 000008
【図７】
2020017161.tif 000009
【図８】
2020017161.tif 000010
【図９】
2020017161.tif 000011
【図１０】
2020017161.tif 000012
【図１１】
2020017161.tif 000013
【図１２】
2020017161.tif 000014